(57)【要約】      （修正有）【課題】造形外カバーを簡単に交換して多様化された造形変化を実現することができる造形変換可能なフラットパネルディスプレイを提供する。【解決手段】本発明の造形変換可能なフラットパネルは、ディスプレイ表示エリア１１２および底部を含み、表示エリア１１２がその一表面上に位置するディスプレイ本体１１０と、既定の造形を有するとともに第１開口を含む外カバー１２０であって、前記外カバーがディスプレイ本体１１０の少なくとも局部表面を被覆して固定され、かつ第１開口１２２がディスプレイ本体１１０の表示エリア１１２を露出させるために用いられる外カバー１２０と、前記底部に連接され、ディスプレイ本体１１０を支持するために用いられる多数個の支持部１３０とにより構成されている。【選択図】図１Ｂ
0003109394.tif 000002
【実用新案登録請求の範囲】
【請求項１】
表示エリアおよび底部を含み、前記表示エリアがその一表面上に位置するディスプレイ本体と、
外カバーであって、既定の造形を有するとともに、第１開口を含んでおり、前記外カバーが前記ディスプレイ本体の少なくとも局部表面を被覆して固定され、かつ前記第１開口が前記ディスプレイ本体の前記表示エリアを露出させるために用いられる外カバーと、
前記底部に連接され、前記ディスプレイ本体を支持するために用いられる多数個の支持部と、
を含むものであることを特徴とする造形変換可能なフラットパネルディスプレイ。
【請求項２】
上記支持部が、上記底部に固定式または取り外し可能に連接されるものであることを特徴とする請求項１記載の造形変換可能なフラットパネルディスプレイ。
【請求項３】
上記支持部が、上記底部に枢接されるとともに、上記ディスプレイ本体に対して回動可能であることを特徴とする請求項１記載の造形変換可能なフラットパネルディスプレイ。
【請求項４】
上記外カバーが、さらに、上記底部に位置するジッパー式開口を含み、前記外カバーが前記ジッパー式開口により上記ディスプレイ本体上に配置されるものであることを特徴とする請求項１記載の造形変換可能なフラットパネルディスプレイ。
【請求項５】
上記造形変換可能なフラットパネルディスプレイが、さらに、少なくとも１つの装飾部を含んでおり、前記装飾部が上記外カバーの上記既定の造形に合わせて上記ディスプレイ本体に取り外し可能に連接されるものであることを特徴とする請求項１記載の造形変換可能なフラットパネルディスプレイ。
【請求項６】
上記装飾部が、上記ディスプレイ本体に枢接されて、前記装飾部が前記ディスプレイ本体に対して回動可能であることを特徴とする請求項５記載の造形変換可能なフラットパネルディスプレイ。
【請求項７】
上記ディスプレイ本体が、さらに、放熱エリアを含み、かつ上記外カバーが更に第２開口を含んでおり、前記第２開口が前記ディスプレイ本体の前記放熱エリアを露出させるために用いるものであることを特徴とする請求項１記載の造形変換可能なフラットパネルディスプレイ。
【請求項８】
上記ディスプレイ本体が、さらに、発声装置を含むものであることを特徴とする請求項１記載の造形変換可能なフラットパネルディスプレイ。
【請求項９】
上記ディスプレイ本体が、さらに、音声ピックアップ装置を含むものであることを特徴とする請求項１記載の造形変換可能なフラットパネルディスプレイ。
【請求項１０】
上記ディスプレイ本体が、さらに、振動センサーを含むものであることを特徴とする請求項１記載の造形変換可能なフラットパネルディスプレイ。
【請求項１１】
上記ディスプレイ本体が、さらに、イメージ捕獲装置を含むものであることを特徴とする請求項１記載の造形変換可能なフラットパネルディスプレイ。
【考案の詳細な説明】
【技術分野】
【０００１】
この考案は、フラットパネルディスプレイに関するものであり、特に、造形外カバーを簡単に交換して多様化された造形変化を提供できる造形変換可能なフラットパネルディスプレイに関するものである。
【背景技術】
【０００２】
近年、光電技術および半導体製造技術の日を追っての成熟に伴い、フラットパネルディスプレイ（Flat Panel Display）の盛んな発展をも促しているが、そのうち、フラットパネルディスプレイは、主要に、以下の幾つかのタイプのディスプレイに分けることができる。すなわち、有機電界発光ディスプレイ（Organic Electro-Luminescence Display =OELD）、プラズマディスプレイパネル（Plasma Display Panel = PDP）、液晶ディスプレイ（Liquid Crystal Display = LCD）などである。
【考案の開示】
【考案が解決しようとする課題】
【０００３】
これまでの陰極線管（Cathode Ray Tube = CRT）のスクリーンと較べると、フラットパネルディスプレイの放射線は比較的少なく、甚だしくはゼロに近いものとなるために、人類の視力に対する危害を有効に低減させるものとなるから、将来のディスプレイ産業において、フラットパネルディスプレイに対するニーズが引き続き高まっていくものと予測できる。しかしながら、現在、市場において販売されているフラットパネルディスプレイは、その造形が杓子定規な矩形のものが多く、しかもディスプレイの造形を変えようと思えば、新しい機種に買い換えなければならないので、美観やコストを考慮する上でユーザーの造形ニーズをいかに満足させるか、消費者の購買意欲をいかに刺激するかが、やはり業界各メーカーにとって当面の急務である。
【０００４】
そこで、この考案の目的は、一般のディスプレイ機能を提供するだけでなく、造形外カバーを簡単に交換して多様化された造形変化を実現することができる造形変換可能なフラットパネルディスプレイを提供することにあり、この目的に従って、上記問題を解決することができる。
【課題を解決するための手段】
【０００５】
上記課題を解決し、所望の目的を達成するために、この考案にかかる造形変換可能なフラットパネルディスプレイは、表示エリアおよび底部を含み、前記表示エリアがその一表面上に位置するディスプレイ本体と、外カバーであって、既定の造形を有するとともに、第１開口を含んでおり、前記外カバーが前記ディスプレイ本体の少なくとも局部表面を被覆して固定され、かつ前記第１開口が前記ディスプレイ本体の前記表示エリアを露出させるために用いられる外カバーと、前記底部に連接され、前記ディスプレイ本体を支持するために用いられる多数個の支持部とから構成される。
【０００６】
この考案にかかる最良の実施形態においては、上記支持部が、上記底部に固定式または取り外し可能に連接されるものであり、上記支持部が、上記底部に枢接されるとともに、上記ディスプレイ本体に対して回動可能であり、上記外カバーが、さらに、上記底部に位置するジッパー式開口を含み、前記外カバーが前記ジッパー式開口により上記ディスプレイ本体上に配置されるものであり、上記造形変換可能なフラットパネルディスプレイが、さらに、少なくとも１つの装飾部を含んでおり、前記装飾部が上記外カバーの上記既定の造形に合わせて上記ディスプレイ本体に取り外し可能に連接されるものであり、上記装飾部が、上記ディスプレイ本体に枢接されて、前記装飾部が前記ディスプレイ本体に対して回動可能であり、上記ディスプレイ本体が、さらに、放熱エリアを含み、かつ上記外カバーが更に第２開口を含んでおり、前記第２開口が前記ディスプレイ本体の前記放熱エリアを露出させるために用いるものであり、上記ディスプレイ本体が、さらに、発声装置を含むものであり、上記ディスプレイ本体が、さらに、音声ピックアップ装置を含むものであり、上記ディスプレイ本体が、さらに、振動センサーを含むものであり、上記ディスプレイ本体が、さらに、イメージ捕獲装置を含むものである。
【考案の効果】
【０００７】
従って、この考案にかかる造形変換可能なフラットパネルディスプレイは、既定の造形を有する外カバー、多数個の支持部ならびに装飾部を簡単に取り替えることができるので、ユーザーの好みによりフラットパネルディスプレイの外観造形を変更することができるから、ユーザーが新機種を購入するコストを節約し、ディスプレイ造形の精巧性を改善することができる。
【考案を実施するための最良の形態】
【０００８】
以下、この考案を実施するための最良の形態を図面に基づいて説明する。
図１Ａは、この考案の実施形態にかかる造形変換可能なフラットパネルディスプレイを示す分解斜視図であり、図２Ａは、この考案の実施形態にかかる造形変換可能なフラットパネルディスプレイのディスプレイ本体を示す斜視図である。図１Ａと図２Ａとにおいて、造形変換可能なフラットパネルディスプレイ１００は、ディスプレイ本体１１０と、外カバー１２０と、多数個の支持部１３０とを含み、そのうち、ディスプレイ本体１１０が表示エリア１１２を有して、画像を表示するために用いられる。外カバー１２０が開口１２２を有して、ディスプレイ本体１１０の表示エリア１１２を露出するために用いられる。また、外カバー１２０がディスプレイ本体１１０の少なくとも局部表面を被覆して固定される。外カバー１２０の材質を例えば布地またはプラスチックなどの弾力性のある材料とすることができる。支持部１３０は、ディスプレイ本体１１０の底部に固定式または取り外し可能に連接される。この実施形態では、支持部１３０がディスプレイ本体１１０の底部に取り外し可能に連接されている。例えば、支持部１３０のボール部１３２とディスプレイ本体１１０の底部のボールソケット（ball socket ）１３４とから形成されるボールジョイント（ball joint）によってディスプレイ本体１１０に枢接されて、支持部１３０がディスプレイ本体１１０に対して回動できるように構成されている。あるいは支持部１３０のボールソケットとディスプレイ本体１１０のボール部とで形成されるボールジョイントによって、支持部１３０がディスプレイ本体１１０に対して回動できるように構成することができる。この外、ディスプレイ本体１１０および支持部１３０間をネジとネジ孔との組み合わせとすることでも、また取り外し可能な連接を達成することができ、ネジをディスプレイ本体１１０上に配置し、ネジ孔を対応する支持部１３０上に配置することができ、あるいは、ネジを支持部１３０上に配置し、ネジ孔を対応するディスプレイ本体１１０上に配置することができる。
【０００９】
また、支持部１３０は、外カバー１２０に合わせて全体的な造形設計を行うことができ、例えば、この実施形態において、猿の四肢状に設計することができる。
【００１０】
さらに、支持部１３０は、また可動関節を備えた支持物体として、動物または人類のいろいろな肢体動作を作り出すこともできる。
【００１１】
図１Ａにおいて、この実施形態中、この考案にかかる造形変換可能なフラットパネルディスプレイ１００は、さらに、装飾部１４０，１４２を含んでいる。これら装飾部１４０，１４２は、ディスプレイ本体１１０上に取り外し可能に連接される。例えば、装飾部１４０，１４２のボール部１４４とディスプレイ本体１１０のボールソケット１４６（ball socket ）とから形成されるボールジョイント（ball joint）によってディスプレイ本体１１０に枢接されて、装飾部１４０，１４２がディスプレイ本体１１０に対して回動できるように構成されている。この実施形態中、装飾部１４０，１４２は、それぞれ猿の頭部および尾部などである。また、これら装飾部１４０，１４２を外カバー１２０上に直接製作するとともに、外カバー１２０を介してディスプレイ本体１１０上に配置することもできる（例えば図１Ｂに示す通り）。
【００１２】
図１Ｂは、図１Ａの造形変換可能なフラットパネルディスプレイの組立状態を示す斜視図である。図１Ｂにおいて、装飾部１４０，１４２および支持部１３０のディスプレイ本体１１０に対する回動角度を調整することによって、図１Ｂに示したような猿の造形を備えた造形変換可能なフラットパネルディスプレイ１００にいろいろな肢体動作を展開させることができる。
【００１３】
図２Ｂは、この考案の実施形態にかかる造形変換可能なフラットパネルディスプレイのディスプレイ本体の背面斜視図である。図２Ｂにおいて、この実施形態中、フラットパネルディスプレイ１００のディスプレイ本体１１０は、さらに、放熱エリア１１６を含み、放熱エリア１１６は表示エリア１１２に対してディスプレイ本体１１０の別な表面上に位置している。
【００１４】
図３Ａは、この考案の実施形態にかかる造形変換可能なフラットパネルディスプレイのディスプレイ本体およびそれを被覆する外カバー、前ハウジングならびに後ハウジングを示す分解斜視図であり、図３Ｂは、この考案の実施形態にかかる造形変換可能なフラットパネルディスプレイのディスプレイ本体およびそれを被覆する外カバー、前ハウジングならびに後ハウジングを示す別な視角からの分解斜視図である。図３Ａと図３Ｂとにおいて、この実施形態中、この考案にかかる造形変換可能なフラットパネルディスプレイ１００は、さらに、前ハウジング１５０および後ハウジング１６０を含み、前ハウジング１５０および後ハウジング１６０は、ディスプレイ本体１１０に接合し、それぞれ外カバー１２０の２開口１２２，１２６の内周縁（この内周縁は多数の毛羽となっている可能性がある）を覆うことで、造形変換可能なフラットパネルディスプレイ１００の組立完了時に、外カバー１２０の２つの開口１２２，１２６の内周縁の毛羽が外へはみ出して、造形変換可能なフラットパネルディスプレイ１００の外観に影響を及ぼすことが防止される。
【００１５】
図２Ａと図３Ａとにおいて、この実施形態中、この考案の造形変換可能なフラットパネルディスプレイ１００は、そのディスプレイ本体１１０がさらに押しボタンエリア１１８ａを含んでおり、その上には多数個の押しボタンを有している。この場所に、外カバー１２０がディスプレイ本体１１０のボタンエリア１１８ａを露出させている。
【００１６】
図２Ａにおいて、この実施形態中、この考案の造形変換可能なフラットパネルディスプレイ１００は、そのディスプレイ本体１１０がさらに発声装置１１８ｂを含んでおり、発声装置１１８ｂの内部にスピーカーを配置し、音声を外へ出力するように構成しているが、発声装置１１８ｂを外カバー１２０で覆う（例えば図３Ａに示す通り）こともでき、また、外カバー１２０の開口（図示せず）を介して外へ露出させることもできる。
【００１７】
また、この考案の造形変換可能なフラットパネルディスプレイ１００のディスプレイ本体１１０は、さらに、振動センサー（図示せず）を含むことができ、この振動センサー（図示せず）を発声装置１１８ｂ内部のスピーカーと電気接続させることができる。ユーザーまたは消費者がこの造形変換可能なフラットパネルディスプレイ１００を振動させた時、または揺り動かした時、この振動センサーが振動または揺り動かす動作を検知するとともに、電気信号を出力してスピーカーから音声を出させるが、この音声は、この造形変換可能なフラットパネルディスプレイ１００の異なる造形に合わせて異なる音声を出すように構成することができる。この実施形態中、この音声を例えば造形変換可能なフラットパネルディスプレイ１００の猿の造形に合わせて猿の幾種類かの鳴き声を出すようにすることで、消費者の注意を有効に引きつけるとともに、ユーザーが造形変換可能なフラットパネルディスプレイ１００を使用する楽しみを増やすことができる。
【００１８】
もちろん、この考案の造形変換可能なフラットパネルディスプレイ１００のディスプレイ本体１１０は、さらに、音声ピックアップ装置（その内部を例えばマイクロホンまたは録音装置などとする）あるいはイメージ捕獲装置（その内部を例えばカメラまたはイメージ捕獲手段などとする）を含むものとすることができ、いずれもこの考案が保護しようとする範囲に含まれる。
【００１９】
図４は、この考案の実施形態にかかる造形変換可能なフラットパネルディスプレイの底面図である。図４において、この考案の造形変換可能なフラットパネルディスプレイ１０１中、その外カバー１２０をさらにジッパー式開口１２４を含むものとしたため、このジッパー式開口１２４を介してディスプレイ本体１１０上に被せるのにより便利なものとなるが、造形変換可能なフラットパネルディスプレイ１０１のその他の構成要素ならびに配置位置の状況は、造形変換可能なフラットパネルディスプレイ１００のディスプレイ本体１１０と同一であるから、改めて説明しない。
【００２０】
図５は、この考案の実施形態にかかる造形変換可能なフラットパネルディスプレイの背面図である。図５において、この実施形態中、この考案の造形変換可能なフラットパネルディスプレイ１０２の外カバー１２０は、さらに別な開口１２６を含み、この開口１２６はディスプレイ本体１１０の放熱エリア１１６を露出させるために用いられる。
【００２１】
注意に値することは、この考案の造形変換可能なフラットパネルディスプレイ１００，１０１，１０２の外観造形は、猿に限定されるものではなく、いかなる既定の造形を有する外カバー１２０（例えば動物造形または人物造形）および各既定造形の外カバーに対応する支持部１３０ならびに装飾部１４０，１４２を交換することによって、ディスプレイの外観造形を変換することで、ディスプレイ造形が任意に変換できるという目的が達成されることである。
【００２２】
以上のごとく、この考案を好適な実施例により開示したが、もとより、この考案を限定するためのものではなく、当業者であれば容易に理解できるように、この考案の技術思想の範囲内において、適当な変更ならびに修正が当然なされうるものであるから、その実用新案権保護の範囲は、実用新案請求の範囲および、それと均等な領域を基準として定めなければならない。
【図面の簡単な説明】
【００２３】
【図１Ａ】この考案の実施形態にかかる造形変換可能なフラットパネルディスプレイを示す分解斜視図である。
【図１Ｂ】図１Ａの造形変換可能なフラットパネルディスプレイを示す組立斜視図である。
【図２Ａ】この考案にかかる実施形態にかかる造形変換可能なフラットパネルディスプレイのディスプレイ本体を示す斜視図である。
【図２Ｂ】この考案にかかる実施形態にかかる造形変換可能なフラットパネルディスプレイのディスプレイ本体を別な視角から示す斜視図である。
【図３Ａ】この考案の実施形態にかかる造形変換可能なフラットパネルディスプレイのディスプレイ本体に被せる外カバー、前ハウジング、後ハウジングを示す分解斜視図である。
【図３Ｂ】この考案の実施形態にかかる造形変換可能なフラットパネルディスプレイのディスプレイ本体に被せる外カバー、前ハウジング、後ハウジングを別な視角から示す分解斜視図である。
【図４】この考案の実施形態にかかる造形変換可能なフラットパネルディスプレイを示す底面図である。
【図５】この考案の実施形態にかかる造形変換可能なフラットパネルディスプレイを示す背面図である。
【符号の説明】
【００２４】
１００，１０１，１０２  造形変換可能なフラットパネルディスプレイ
１１０  ディスプレイ本体
１１２  表示エリア
１１６  放熱エリア
１１８ａ  押しボタンエリア
１１８ｂ  発声装置
１２０  外カバー
１２２，１２６  開口
１２４  ジッパー式開口
１３０  支持部
１３２  ボール部
１３４，１４６  ボールソケット
１４０，１４２  装飾部
１４４  ボール部
１５０  前ハウジング
１６０  後ハウジング
【図１Ａ】
0003109394.tif 000003
【図１Ｂ】
0003109394.tif 000004
【図２Ａ】
0003109394.tif 000005
【図２Ｂ】
0003109394.tif 000006
【図３Ａ】
0003109394.tif 000007
【図３Ｂ】
0003109394.tif 000008
【図４】
0003109394.tif 000009
【図５】
0003109394.tif 000010